(57)【要約】【課題】放射線を扱う医療従事者が、視力矯正の眼鏡を必要とする場合と必要としない場合のいずれであっても、使用者の負担が少なく取扱が簡便である医療用保護眼鏡を提供することを課題とする。【解決手段】放射線を扱う医療従事者が使用する医療用保護眼鏡であって、眼鏡フレーム１１と、Ｘ線遮蔽用フィルタ２４，２４を備えていて眼鏡フレーム１１に取り付けられるフロント部２１と、眼鏡フレーム１１に着脱可能に取り付けられる眼鏡部３１とから成り、眼鏡フレーム１１は弾性材料で構成されていて、そのテンプル１４は、使用時に後頭部に沿って回り込む長さである。【選択図】図４
2019042480.tif 000002
【特許請求の範囲】
【請求項１】
放射線を扱う医療従事者が使用する医療用保護眼鏡であって、眼鏡フレームと、Ｘ線遮蔽用フィルタを備えていて前記眼鏡フレームに取り付けられるフロント部と、前記眼鏡フレームに着脱可能に取り付けられる眼鏡部とから成り、前記眼鏡フレームは弾性材料で構成されていて、そのテンプルは、使用時に後頭部に沿って回り込む長さであることを特徴とする医療用保護眼鏡。
【請求項２】
前記Ｘ線遮蔽用フィルタは、Ｘ線遮蔽効果を有する材料を含有するもの、あるいは、Ｘ線遮蔽効果を有する材料の被膜を表面に備えるものである、請求項１に記載の医療用保護眼鏡。
【請求項３】
前記Ｘ線遮蔽用フィルタは表面に鉛被膜を備え、更にその鉛被膜の表面に樹脂材料から成る被覆層を備える、請求項１又は２に記載の医療用保護眼鏡。
【請求項４】
前記Ｘ線遮蔽用フィルタは、ＪＩＳ  Ｔ６１３３１−１に準拠して測定した透過Ｘ線量率（ｍＧｙ／ｍｉｎ）が、Ｘ線遮蔽用フィルタを介さずに測定した透過Ｘ線量率の半分以下のＸ線遮蔽能を有する、請求項１乃至３のいずれかに記載の医療用保護眼鏡。
【請求項５】
前記Ｘ線遮蔽用フィルタは、可視光線の光透過性が８５％以上である、請求項１乃至４のいずれかに記載の医療用保護眼鏡。
【請求項６】
前記フロント部は、フロント連結部と、前記フロント連結部で連結された前記Ｘ線遮蔽用フィルタを保持する一対のリム部と、前記リム部に連設されるサイドプレートから成り、前記フロント連結部、リム部及びサイドプレートの表面にＸ線遮蔽層が配設されている、請求項１乃至５のいずれかに記載の医療用保護眼鏡。
【請求項７】
前記Ｘ線遮蔽層は、前記フロント連結部、リム部及びサイドプレートの表面にプライマー層を形成し、このプライマー層上に、Ｘ線遮蔽効果を有する材料の粉末を含有した樹脂組成物を塗布し、加熱することにより形成されている、請求項６に記載の医療用保護眼鏡。
【請求項８】
前記Ｘ線遮蔽効果を有する材料の粉末の粒子径は１０μｍ〜１５０μｍの範囲である、請求項７に記載の医療用保護眼鏡。
【請求項９】
前記Ｘ線遮蔽層は鉛粉末を含み、そのＸ線遮蔽層の表面に樹脂材料から成る被覆層が設けられる、請求項６乃至８のいずれかに記載の医療用保護眼鏡。
【請求項１０】
前記眼鏡部は前記眼鏡フレームに着脱可能であり、且つ、跳ね上げ可能である、請求項１乃至９のいずれかに記載の医療用保護眼鏡。
【発明の詳細な説明】
【技術分野】
【０００１】
本発明は、医療用保護眼鏡に関するものであり、より詳細には、放射線を扱う医療従事者の眼を保護するための医療用保護眼鏡に関する。
【背景技術】
【０００２】
従来より、医療用装置から漏れる放射線から医療従事者の眼を保護するために、保護眼鏡が使用されている。このような医療用保護眼鏡として、例えば、鉛を含有したアクリル樹脂を用いた保護眼鏡であって、使用者が視力矯正の眼鏡を付けたままで装着できるオーバーグラスタイプの構造の保護眼鏡が使用されている（特許文献１）。
【先行技術文献】
【特許文献】
【０００３】
【特許文献１】実用新案登録第３０１１３２０号公報
【発明の概要】
【発明が解決しようとする課題】
【０００４】
しかしながら、鉛を含有したアクリル樹脂はＸ線の遮蔽機能が低く、使用者の眼の保護が十分に行えず、また、アクリル樹脂が経年劣化により透明から黄色みに変色するので、例えば、医療行為に支障を生じるという問題があった。更に、視力矯正の眼鏡を着用している使用者は、その眼鏡を付けたままで保護眼鏡を装着するので、フレームが２重に存在し、例えば、視野を妨げて作業、機器の取り扱い等において支障を来すことがあった。
【０００５】
一方、鉛を含有したアクリル樹脂を鉛ガラスに替えることにより、Ｘ線の遮蔽機能は高いものとなり、変色の問題も解消できるが、鉛ガラスを使用した保護眼鏡は重く、保護眼鏡の使用者の鼻側の負担、耳上部の負担が大きく、また、保護眼鏡のズレ落ちが生じる。このため、例えば、麻酔技術の進歩に伴って長時間の手術が行われると、保護眼鏡の使用者の負担が大きなものになるという問題があった。また、保護眼鏡の一対のテンプルの後端部を紐で連結することにより、保護眼鏡の重さによるズレ落ちを軽減することができるが、使用者の後頭部が締め付けられ、また、汗などで紐が汚れるという問題があった。
【０００６】
更に、保護眼鏡の内側の近傍に、視力矯正用の眼鏡レンズを装着した別体のレンズフレームを装着した場合、保護眼鏡の使用後のクリーニングにおいて、保護フィルタと眼鏡レンズとが対向する箇所のクリーニングが困難であった。このため、クリーニングの都度、レンズフレームを取り外して保護眼鏡とレンズフレームのクリーニングを行い、その後、レンズフレームを保護眼鏡に再装着する必要があり、取扱いが煩わしいという問題があった。
【０００７】
本発明は、上述のような実状に鑑みてなされたものであり、放射線を扱う医療従事者が、視力矯正の眼鏡を必要とする場合と必要としない場合のいずれであっても、使用者の負担が少なく取扱が簡便である医療用保護眼鏡を提供することを課題とする。
【課題を解決するための手段】
【０００８】
上記課題を解決するための請求項１に記載の発明は、放射線を扱う医療従事者が使用する医療用保護眼鏡であって、眼鏡フレームと、Ｘ線遮蔽用フィルタを備えていて前記眼鏡フレームに取り付けられるフロント部と、前記眼鏡フレームに着脱可能に取り付けられる眼鏡部とから成り、前記眼鏡フレームは弾性材料で構成されていて、そのテンプルは、使用時に後頭部に沿って回り込む長さであることを特徴とする医療用保護眼鏡。
【０００９】
一実施形態においては、前記Ｘ線遮蔽用フィルタは、Ｘ線遮蔽効果を有する材料を含有するもの、あるいは、Ｘ線遮蔽効果を有する材料の被膜を表面に備えるものである。また、一実施形態においては、前記Ｘ線遮蔽用フィルタは表面に鉛被膜を備え、更にその鉛被膜の表面に樹脂材料から成る被覆層を備える。
【００１０】
一実施形態においては、前記Ｘ線遮蔽用フィルタは、ＪＩＳ  Ｔ６１３３１−１に準拠して測定した透過Ｘ線量率（ｍＧｙ／ｍｉｎ）が、Ｘ線遮蔽用フィルタを介さずに測定した透過Ｘ線量率の半分以下のＸ線遮蔽能を有し、また、前記Ｘ線遮蔽用フィルタは、可視光線の光透過性が８５％以上である。
【００１１】
一実施形態においては、前記フロント部は、フロント連結部と、前記フロント連結部で連結された前記Ｘ線遮蔽用フィルタを保持する一対のリム部と、前記リム部に連設されるサイドプレートから成り、前記フロント連結部、リム部及びサイドプレートの表面にＸ線遮蔽層が配設されている。
【００１２】
一実施形態においては、前記Ｘ線遮蔽層は、前記フロント連結部、リム部及びサイドプレートの表面にプライマー層を形成し、このプライマー層上に、Ｘ線遮蔽効果を有する材料の粉末を含有した樹脂組成物を塗布し、加熱することにより形成されている。前記Ｘ線遮蔽効果を有する材料の粉末の粒子径は、１０μｍ〜１５０μｍの範囲である。また、一実施形態においては、前記Ｘ線遮蔽層は鉛粉末を含み、そのＸ線遮蔽層の表面に樹脂材料から成る被覆層が設けられる。
【００１３】
一実施形態においては、前記眼鏡部は前記眼鏡フレームに着脱可能であり、且つ、跳ね上げ可能である。
【発明の効果】
【００１４】
本発明に係る保護眼鏡は、眼鏡フレームとＸ線遮断性能を備えていて眼鏡フレームに取り付けられるフロント部を備え、前記眼鏡フレームはバネ性材料で構成されていて、そのテンプルは、使用時に後頭部に沿って回り込む長さであるため、使用者が視力矯正の眼鏡を必要とする場合、必要としない場合のいずれであっても、Ｘ線から使用者の目を保護し、且つ、着用した際に良好なフィット感が得られ、長時間着用しても疲れが出にくく、使用者の負担が軽減される効果がある。
【図面の簡単な説明】
【００１５】
【図１】本発明の保護眼鏡の一実施形態を示す平面図である。
【図２】本発明の保護眼鏡の一実施形態を示す正面図である。
【図３】本発明の保護眼鏡の一実施形態を示す側面図である。
【図４】本発明の保護眼鏡の一実施形態を示す斜視図である。
【図５】本発明の保護眼鏡の一実施形態を示す、図４とは異なる角度からの斜視図である。
【図６】本発明の保護眼鏡の構造を説明するための正面図である。
【図７】本発明の保護眼鏡の動作を説明するための平面図である。
【図８】本発明の保護眼鏡の構造を説明するための斜視図である。
【図９】本発明の保護眼鏡の構造を説明するための斜視図である。
【発明を実施するための形態】
【００１６】
以下、本発明の実施形態について図面を参照しながら説明する。図１は、本発明の保護眼鏡の一実施形態を示す平面図、図２はその正面図、図３はその側面図、図４、図５はその斜視図である。また、図６は、本発明の保護眼鏡の構造を説明するための正面図であり、一部の部材を離間させた状態を示している。
【００１７】
図１〜図６において、本発明の保護眼鏡１は、眼鏡フレーム１１と、Ｘ線遮蔽用フィルタ２４，２４を担持していて眼鏡フレーム１１に取り付けられるフロント部２１と、眼鏡フレーム１１に着脱可能に取り付けられる眼鏡部３１とから成る。以下に、保護眼鏡１を構成するこれらの眼鏡フレーム１１、フロント部２１及び眼鏡部３１について説明する。
【００１８】
＜眼鏡フレーム１１＞  
眼鏡フレーム１１は、ブリッジ１２と、このブリッジ１２の両端部１２ｅ，１２ｅにヒンジ１３，１３を介して取り付けられるテンプル１４，１４を有している。ブリッジ１２は、正面からの形状が図６に示されるように、中央部１２ｃで後述のフロント部２１を係止可能なように、緩やかに曲げられた形状とされている。このブリッジ１２は、βチタン、チタン等の金属、ポリアミド系樹脂等の樹脂材料によって形成され、あるいは、これらの材料の２種以上の組み合わせから成る材料によって形成される。
【００１９】
テンプル１４，１４は、ヒンジ１３，１３を軸に回動可能であり、その端部１４ｅ，１４ｅが使用者の後頭部に沿って回り込み、軽く当接するように長めに形成され、図１に示されるように、その端部１４ｅ，１４ｅ同士が非常に近接した状態となる。テンプル１４，１４がこのように長く形成されることにより、保護眼鏡１の使用中における鼻側にかかる重さが分散され、以て、重みによる鼻側の負担が軽減されると共に、保護眼鏡１のズレ落ちが防止されるという効果が奏される。
【００２０】
テンプル１４，１４は、βチタン、チタン等の金属、ポリアミド系樹脂等の樹脂材料等によって形成され、あるいは、これらの材料を２種以上組み合わせた材料によって形成される。このような材料の中で、テンプル１４，１４の前半部分１４ａを形成するための材料としては、保護眼鏡１を着用した際に良好なフィット感が得られ、長時間着用しても疲れが出にくく、軽量で錆びにくく、弾性に富んだβチタン材を用いることが好ましい。
【００２１】
一方、テンプル１４，１４の後半部分１４ｂには、保護眼鏡１を着用していても、耳の部分や後頭部が痛くならない、クッション性のあるゴム樹脂が好適である。このゴム樹脂は、曲げることができて、使用者に合わせてフィッティング調整可能であることが好ましく、例えば、三菱ケミカル（株）製のラバロン樹脂（登録商標）等を使用することができる。
【００２２】
＜フロント部２１＞
フロント部２１は、フロント連結部２２で連結されていてＸ線遮蔽用フィルタ２４，２４を担持する一対のリム部２３，２３と、該リム部２３，２３に連続するサイドプレート２５，２５を有している。図示してないが、フロント連結部２２、リム部２３，２３及びサイドプレート２５，２５の表面、即ち、これらの部材の露出する全ての面に、Ｘ線遮蔽層が配設される。サイドプレート２５，２５は、使用者の目じり部分からＸ線が目の方向へ入らないように遮蔽する部材であり、テンプル１４とは別体であるため、形状に自由性がある。
【００２３】
フロント部２１は、図６、図８に示されるように、フロント連結部２２が基材４１を介して眼鏡フレーム１１のブリッジ１２にネジ１６を用いて留め付けられて、眼鏡フレーム１１に一体化される。フロント部２１のブリッジ１２に対する留め付け構造については、後述する。
【００２４】
Ｘ線遮蔽用フィルタ２４，２４は、Ｘ線遮蔽効果を有する材料を含有する光透過性部材であり、あるいは、成形した光透過性部材の表面にＸ線遮蔽効果を有する材料の被膜を成膜したものである。Ｘ線遮蔽用フィルタ２４，２４は、保護眼鏡として使用し得る程度の透明性を備えるものであり、例えば、可視光領域の光透過率が８５％以上、好ましくは９３％以上であるような透明性を備えるものである。また、Ｘ線遮蔽用フィルタ２４，２４は、ＪＩＳ  Ｔ６１３３１−１に準拠して測定した透過Ｘ線量率（ｍＧｙ／ｍｉｎ）が、Ｘ線遮蔽用フィルタを介さずに測定した透過Ｘ線量率の半分以下を達成できるＸ線遮蔽能
を有するものである。
【００２５】
Ｘ線遮蔽用フィルタ２４，２４を構成する光透過性の材料としては、ガラス、アクリル樹脂等から、所望の光透過率を発現する材料を選択することができる。また、Ｘ線遮蔽効果を有する材料としては、原子番号２２番〜８３番までのいずれかの元素から成る材料を挙げることができ、このような材料を１種で、あるいは、２種以上の組み合わせで使用することができる。
【００２６】
このようなＸ線遮蔽効果を有する材料は、元素によりＸ線の遮蔽効果が異なり、同じＸ線遮蔽効果を奏するには、原子量が大きい程、Ｘ線遮蔽用フィルタ２４，２４が含有する量を少なくすることができ、あるいは、Ｘ線遮蔽用フィルタ２４，２４の表面の材料被膜の厚みを薄くすることができる。このため、保護眼鏡１に要求されるＸ線遮蔽効果が奏されるように、使用する材料、含有する材料量あるいは材料被膜の厚みを決定することができる。
【００２７】
このＸ線遮蔽用フィルタ２４，２４としては、例えば、鉛入りガラスを使用することができ、具体的には、日本電気硝子（株）製  ＬＸ−５７Ｂ等を挙げることができる。なお、Ｘ線遮蔽用フィルタ２４，２４が、表面に鉛被膜を備える場合、人体への健康面を考慮して、鉛被膜の表面に樹脂材料から成る被覆層を設けることが好ましい。
【００２８】
フロント部２１を構成するフロント連結部２２、リム部２３，２３及びサイドプレート２５，２５の材質は、後述するＸ線遮蔽層の形成の際の熱に耐えられるような部材で成形することができ、例えば、アミド系樹脂、サルホン系
樹脂等の樹脂、チタン、βチタン等の金属を挙げることができる。より具体的には、サルホン系樹脂であるレーデル（登録商標）等が好ましく使用できる。
【００２９】
なお、図示した例では、フロント連結部２２、リム部２３，２３及びサイドプレート２５，２５が一体として成形されているが、これに限定されるものではなく、個々の部材を成形した後、接着あるいは融着等により接合して一体化することとしてもよい。その場合、フロント連結部２２、リム部２３，２３及びサイドプレート２５，２５を構成する材質は、全て同じであってもよいし、異なるものであってもよい。
【００３０】
フロント連結部２２、リム部２３，２３及びサイドプレート２５，２５の表面に位置するＸ線遮蔽層は、Ｘ線遮蔽効果を有する材料の粉末を含有する樹脂層とすることができる。Ｘ線遮蔽効果を有する材料の粉末としては、原子番号２２番〜８３番までのいずれかの元素から成る材料の粉末を挙げることができ、このような材料粉末を１種で、あるいは、２種以上の組み合わせで使用することができる。
【００３１】
このＸ線遮蔽効果を有する材料は、元素によりＸ線の遮蔽効果が異なり、同じＸ線遮蔽効果を奏するためには、原子量が大きい程、Ｘ線遮蔽層が含有する材料量は少なくてよく、また、Ｘ線遮蔽層の厚みは薄くすることができる。このため、保護眼鏡１に要求されるＸ線遮蔽効果が達成されるように、使用する材料、含有する材料量あるいはＸ線遮蔽層の厚みを決定することができる。
【００３２】
Ｘ線遮蔽層は、例えば、フロント連結部２２、リム部２３，２３及びサイドプレート２５，２５の表面にプライマー層を形成し、このプライマー層上に、Ｘ線遮蔽効果を有する材料の粉末を含有した樹脂組成物を塗布し、加熱することにより形成することができる。プライマー層には、例えば、エポキシ系樹脂プライマーを使用することができ、フロント連結部２２、リム部２３，２３及びサイドプレート２５，２５の表面全域にスプレーコートにより塗布することによりプライマー層を形成することができる。このプライマー層の厚みは、例えば、５μｍ〜２０μｍの範囲で適宜設定することができる。
【００３３】
Ｘ線遮蔽効果を有する材料の粉末は、粒子径が大きいほどＸ線遮蔽層の厚みが厚くなり、粒子径が大きすぎると、Ｘ線遮蔽層の表面に凹凸が目立つこととなる。このため、粒子径は、例えば、１０μｍ〜１５０μｍの範囲で適宜設定することができる。Ｘ線遮蔽効果を有する材料の粉末を含有した樹脂組成物に使用する樹脂としては、例えば、アクリル樹脂、メラミン樹脂、ウレタン樹脂、フェノール樹脂、ポリエステ樹脂等を挙げることができる。
【００３４】
また、樹脂組成物を塗布した後の加熱は、フロント連結部２２、リム部２３，２３及びサイドプレート２５，２５を構成する材料の耐熱性を考慮して温度を設定する必要がある。例えば、フロント連結部２２、リム部２３，２３及びサイドプレート２５，２５を構成する材料がＡＢＳ樹脂の場合には約８０℃、サルホン系樹脂のレーデル（登録商標）の場合には約１８０℃、材質が金属の場合には約５００℃以下で適宜設定することができる。
【００３５】
Ｘ線遮蔽層の厚みは、Ｘ線遮蔽層を設けたフロント連結部２２、リム部２３，２３及びサイドプレート２５，２５におけるＪＩＳ  Ｔ６１３３１−１に準拠して測定した透過Ｘ線量率（ｍＧｙ／ｍｉｎ）が、Ｘ線遮蔽部材を介さずに測定した透過Ｘ線量率の半分以下となるように設定することができ、保護眼鏡１に要求されるＸ線遮蔽効果、使用する材料の種類、材料粉末の含有率等を考慮して、例えば、５μｍ〜３００μｍの範囲でＸ線遮蔽層の厚みを設定することができる。なお、Ｘ線遮蔽効果を有する材料粉末として鉛粉末を使用した場合、人体への健康面を考慮して、Ｘ線遮蔽層の表面に樹脂材料から成る被覆層を設けることが好ましい。
【００３６】
＜眼鏡部３１＞
保護眼鏡１を構成する眼鏡部３１は、支持ピン３６を用いて眼鏡連結部３３で連結された一対の視力矯正用の眼鏡レンズ３２，３２を有しており、眼鏡フレーム１１のブリッジ１２に取り付けられる（図８参照）。この眼鏡部３１は、眼鏡フレーム１１のブリッジ１２に対して着脱可能であると共に、眼鏡フレーム１１に装着された状態でフロント部２１に対して跳ね上げ可能となっている。なお、眼鏡部３１がブリッジ１２に対して着脱可能である構造、及び、フロント部２１に対して跳ね上げ可能である構造は下記のとおりである。
【００３７】
図７は、本発明の保護眼鏡１における眼鏡部３１のフロント部２１に対する跳ね上げ動作を説明するための平面図である。図７では、保護眼鏡１の使用時における眼鏡部３１の眼鏡レンズ３２，３２の位置を実線で示し、眼鏡部３１がフロント部２１に対して跳ね上げられた状態の眼鏡レンズ３２，３２を一点鎖線で示している。このように、眼鏡部３１がフロント部２１に対して跳ね上げ可能であることにより、例えば、保護眼鏡の使用後のクリーニング時において、Ｘ線遮蔽用フィルタ２４と眼鏡レンズ３２の各対向面のクリーニングが容易となる。
【００３８】
次いで、フロント部２１のブリッジ１２に対する取り付け構造、眼鏡部３１をブリッジ１２に対して着脱可能にするための構造、並びに、眼鏡部３１をフロント部２１に対して跳ね上げ可能にするための構造について、それぞれ例を挙げて説明する。
【００３９】
図８、図９は、本発明の保護眼鏡の構造を説明するための斜視図である。図８、図９において、ブリッジ１２は、嵌合用突出ネジ穴部１５を備えており、基材４１は、断面Ｌ字型の基部４２と、この基部４２のＬ字の垂直面に突設されている突出部４３と、ノーズパッド４７，４７が装着されたパッド支持部４６と、基部４２のＬ字の水平面に穿設された２個の貫通孔４４を有している。ノーズパッド４７，４７は、保護眼鏡１を長時間着用しても鼻が痛くならず、またズレ落ちないように、例えば、材質をシリコーンゴム等とすることができる。
【００４０】
また、ブリッジ１２は、２個の嵌合用突出ネジ穴部１５，１５を備えており、この嵌合用突出ネジ穴部１５，１５に対応するように、フロント部２１は、フロント連結部２２に係合用の２個の貫通孔２６を有している。そして、貫通孔４４に嵌合用突出ネジ部１５が嵌合するように基材４１が配設され、また、フロント部２１の貫通孔２６に嵌合用突出ネジ穴部１５が嵌合するようにフロント部２１が配設された状態で、ネジ１６を嵌合用突出ネジ穴部１５に螺進させることにより、フロント部２１がブリッジ１２に一体化される。
【００４１】
基材４１が備える突出部４３は、側面にネジ穴４５を備えている。一方、眼鏡部３１を構成する眼鏡連結部３３には、前方向に一対の係合板３４，３４が突設されており、この係合板３４，３４には貫通孔３５，３５が設けられている。そして、一対の係合板３４，３４が基材４１の突出部４３を挟持するように配設された状態で、ネジ１７を突出部４３のネジ穴４５に螺進させることにより、眼鏡部３１がブリッジ１２に固定される。
【００４２】
この眼鏡部３１は、基材４１を介してブリッジ１２に対して着脱可能であり、保護眼鏡１の使用者が視力矯正の眼鏡を必要としない場合は、ブリッジ１２から眼鏡部３１を取り外して使用することができる。また、視力矯正の程度が異なる眼鏡部３１を装着することにより、視力矯正の程度が異なる複数の使用者が１個の保護眼鏡１を共用することができる。
【００４３】
更に、眼鏡部３１は、ネジ１７を中心にフロント部２１に対して跳ね上げ可能である。したがって、例えば、保護眼鏡の使用後のクリーニング時において、眼鏡部３１を取り外すことなく、Ｘ線遮蔽用フィルタ２４と眼鏡レンズ３２の各対向面等を容易にクリーニングすることができる。また、何度も眼鏡部３１の跳ね上げ操作を行い、仮に基部４１の突出部４３に対する眼鏡部３１の係止状態が緩くなっても、ネジ１７を締めれば緩みを解消することができる。
【００４４】
かかる構成の本発明の保護眼鏡１は、使用者が視力矯正の眼鏡を必要とする場合、必要としない場合のいずれであっても、Ｘ線から使用者の目を保護し、かつ、使用者の負担を軽減し、取扱を簡便なものとすることができる。
【００４５】
上述の実施形態は本発明の一例であり、本発明はこのような実施形態に限定されるものではない。例えば、上述の実施形態では、眼鏡フレーム１１を構成するテンプル１４，１４がヒンジ１３，１３を介してブリッジ１２の両端部に回動可能に配設されているが、ブリッジ１２の両端部に、ブリッジ１２に対して所望の角度でテンプルが直接連設されたものであってもよい。また、上述の実施形態では、眼鏡レンズ３２，３２は支持ピン３６を用いて眼鏡連結部３３に直接固着されているが、眼鏡連結部３３に一対のリム部を連設し、このリム部に眼鏡レンズ３２，３２を保持させる構造であってもよい。
【実施例】
【００４６】
＜Ｘ線遮蔽層形成用の樹脂組成物の調製＞
Ｘ線遮蔽層形成用の樹脂組成物として、下記の組成の樹脂組成物を調製した。
（Ｘ線遮蔽層形成用の樹脂組成物の組成）
・アクリル樹脂
（（株）日研工業所製  アクリル樹脂塗料  NK-IV）…１００質量部
・鉛粉末（平均粒子径２０μｍ）…  １５質量部
・溶剤（（株）日研工業所製  シンナー）…  ２０質量部
【００４７】
＜Ｘ線遮蔽層の形成＞
フロント連結部２２、リム部２３，２３、サイドプレート２５，２５から成るフロント部２１用の材料として、サルホン系樹脂（レーデル（登録商標））から成る板材（厚み０．５ｍｍ）と、チタンから成る板材（厚み０．５ｍｍ、１．０ｍｍ）を準備した。また、比較として、ステンレス鋼（ＳＵＳ３０３）から成る板材（厚み０．６ｍｍ）を準備した。
【００４８】
次に、上記の各板材の表面全域に、エポキシ系樹脂プライマー（（株）日研工業所製エポキシプライマー  ＮＫ−ＩＶ）をスプレーコートして、プライマー層（厚み約１０μｍ）を形成した。その後、プライマー層上に上記のＸ線遮蔽層形成用の樹脂組成物をスプレーコートして、Ｘ線遮蔽層（１層の厚み約７０μｍ）を形成し、下記表１に示される７種の試料を作製した。
【００４９】
＜透過Ｘ線量率の測定＞
このように作製した試料（試料１〜試料７）について、ＪＩＳ  Ｔ６１３３１−１に準拠して、下記の測定条件で透過Ｘ線量率を５回測定し、平均値及び標準偏差を求め、下記の表１に記載した。
（透過Ｘ線量率の測定条件）
・Ｘ線装置  ：  エクスロン・インターナショナル社製  ＭＧ−４５２型
・Ｘ線管電圧  ：  １２０ｋＶ
・Ｘ線管電流  ：  １２．５ｍＡ、
・付加ろ過板  ：  アルミニウム板（厚み２．５ｍｍ）
・Ｘ線管焦点−試料間距離  ：  ９００ｍｍ
・試料−測定器間距離  ：  ６００ｍｍ
・Ｘ線量測定単位  ：  空気衝突カーマ
・Ｘ線ビーム  ：  ナロービーム
【００５０】
【表１】
2019042480.tif 000003
【００５１】
表１に示されるように、試料１〜試料６における透過Ｘ線量率は、ブランクの透過Ｘ線量率の半分以下であり、良好なＸ線遮蔽効果を奏することが確認された。また、試料７もブランクの透過Ｘ線量率の半分以下であったが、材質がステンレス鋼であり、比重が大きく、保護眼鏡用として供し得ないものであった。
【産業上の利用可能性】
【００５２】
本発明に係る保護眼鏡は上記のとおりであって、眼鏡フレーム１１とフロント部２１がＸ線防護性のある材料を含有しており、眼鏡部３１は弾性材料で構成されていて、そのテンプル１４は、使用時に後頭部に沿って回り込む長さであるため、使用者が視力矯正の眼鏡を必要とする場合、必要としない場合のいずれであっても、Ｘ線から使用者の目を保護し、且つ、着用した際に良好なフィット感が得られ、長時間着用しても疲れが出にくく、使用者の負担が軽減されるという効果のあるものであり、その産業上の利用可能性は極めて大である。
【符号の説明】
【００５３】
１          保護眼鏡
１１        眼鏡フレーム
１２        ブリッジ
１３        ヒンジ
１４        テンプル
２１        フロント部
２２        フロント連結部
２３        リム部
２４        Ｘ線遮蔽用フィルタ
２５        サイドプレート
３１        眼鏡部
３２        眼鏡レンズ
３３        眼鏡連結部
４１        基材
【図１】
2019042480.tif 000004
【図２】
2019042480.tif 000005
【図３】
2019042480.tif 000006
【図４】
2019042480.tif 000007
【図５】
2019042480.tif 000008
【図６】
2019042480.tif 000009
【図７】
2019042480.tif 000010
【図８】
2019042480.tif 000011
【図９】
2019042480.tif 000012